(57)【特許請求の範囲】
【請求項１】
美容スティックと、微小電流発生モジュールと、外付け負圧器と、連通管と、導電線と、を含み、
前記美容スティックは、内部に送気通路を有し、両端に前記送気通路を連通する負圧接続孔と導電性吸引ノズルとがそれぞれ設けられ、前記負圧接続孔の側辺に第１接続ポートが設けられ、
前記微小電流発生モジュールは、前記美容スティックの内部に配置され、前記第１接続ポートに電気的に接続され、
前記外付け負圧器は、前記美容スティックと分離して配置され、ハウジングと、前記ハウジングの内部に取り付けられる負圧駆動制御モジュールとを備え、前記負圧駆動制御モジュールは、前記ハウジングに配置された負圧連通孔を有する送気管アセンブリを備え、前記外付け負圧器に第２接続ポートが設けられ、
前記連通管は、両端に前記負圧接続孔と前記負圧連通孔がそれぞれ連通し、
前記導電線は、両端に前記第１接続ポートと前記第２接続ポートがそれぞれ接続し、
前記導電性吸引ノズルは、前記負圧駆動制御モジュールの作動により、顔の皮膚に対して負圧吸引・解放を発生させ、前記微小電流発生モジュールの電流を導出することにより、顔の皮膚を刺激してアデノシン三リン酸を生成させる、
顔用美容健康装置。
【請求項２】
前記微小電流発生モジュールは、操作制御アセンブリと、微小電流伝導アセンブリとを含み、
前記操作制御アセンブリは、前記第１接続ポートに電気的に接続され、回路基板と、前記回路基板に取り付けられる第１スイッチボタンとを備え、前記第１スイッチボタンを操作することにより、前記微小電流伝導アセンブリを作動又は停止させる、
請求項１に記載の顔用美容健康装置。
【請求項３】
前記微小電流伝導アセンブリは、導線と、固定部材とを備え、
前記導電性吸引ノズルは、接続ヘッドと、前記接続ヘッドに連結される接続カバーとを備え、
前記接続ヘッドは、外周縁に螺着部が設けられる第２接続管を有し、
前記導線は、一端が前記操作制御アセンブリに電気的に接続され、他端が前記第２接続管を外嵌するとともに、前記固定部材によって前記螺着部に対応して螺合される、
請求項２に記載の顔用美容健康装置。
【請求項４】
前記接続ヘッドは、前記第２接続管から延びて互に連通する中空筒柱をさらに有し、
前記接続カバーは、前記中空筒柱を外嵌し、中心に前記中空筒柱と前記第２接続管と互いに連通する吸気口が設けられる、
請求項３に記載の顔用美容健康装置。
【請求項５】
前記美容スティックは、延長管が形成される下端カバーを含み、
前記負圧接続孔は、前記延長管の中心に形成され、
前記下端カバーに対応する下方に前記負圧接続孔に連通する第１接続管が延び、
連結管を介して前記第１接続管と前記第２接続管とを連通することで、前記美容スティックの内部に前記送気通路を構成する、
請求項４に記載の顔用美容健康装置。
【請求項６】
前記微小電流発生モジュールは、誤接触防止アセンブリをさらに含み、
前記誤接触防止アセンブリは、静電容量スイッチと、導電性バネと、センサ領域とを備え、
前記静電容量スイッチは、前記回路基板に配置され、
前記導電性バネは、前記美容スティックの内部に支持され、一端が前記静電容量スイッチに対応して配置され、
前記センサ領域は、前記美容スティックの表面に形成され、前記導電性バネの他端に対応して配置される、
請求項２に記載の顔用美容健康装置。
【請求項７】
前記美容スティックの内部に配置され、前記操作制御アセンブリに電気的に接続される超音波発生モジュールをさらに含む、
請求項２に記載の顔用美容健康装置。
【請求項８】
前記超音波発生モジュールは、固定板と、前記固定板に重ねて接続される圧電シートアセンブリとを含み、
前記導電性吸引ノズルは、第２接続管を有する接続ヘッドを備え、
前記固定板及び前記圧電シートアセンブリは、前記第２接続管に外嵌し、
前記操作制御アセンブリは、前記回路基板に取り付けられる第２スイッチボタンをさらに備え、前記第２スイッチボタンを操作することにより、前記超音波発生モジュールを作動又は停止させる、
請求項７に記載の顔用美容健康装置。
【請求項９】
発光アセンブリと、ランプカバーとを備える光波発生モジュールをさらに含み、
前記発光アセンブリは、前記美容スティックの内部に配置され、前記操作制御アセンブリに電気的に接続され、
前記美容スティックは上端カバーを含み、前記上端カバーは、外側が前記ランプカバーに覆われて設けられるカバー盤を備え、
前記操作制御アセンブリは、前記回路基板に取り付けられる第３スイッチボタンをさらに備え、前記第３スイッチボタンを操作することにより、前記光波発生モジュールを作動又は停止させる、
請求項２に記載の顔用美容健康装置。
【請求項１０】
前記発光アセンブリは、基板と、前記基板に設けられる複数の発光ダイオードとを備え、
前記カバー盤に複数の円錐形ランプカップが設けられ、各前記円錐形ランプカップは、各前記発光ダイオードにそれぞれ対応して配置される、
請求項９に記載の顔用美容健康装置。
【請求項１１】
前記美容スティックの内部に配置され、前記操作制御アセンブリに電気的に接続されるマイナスイオン発生モジュールをさらに含み、
マイナスイオン発生モジュールは、マイナスイオン発生器と、前記マイナスイオン発生器に接続されるマイナスイオン導線とを含み、
前記美容スティックは上端カバーを含み、前記上端カバーは、マイナスイオン導出孔が開設されるカバー盤を備え、前記マイナスイオン導線が前記マイナスイオン導出孔内まで延びる、
請求項２に記載の顔用美容健康装置。
【請求項１２】
前記導電性吸引ノズルは、中空筒柱を有する接続ヘッドを備え、
前記顔用美容健康装置は、前記中空筒柱に配置されるフィルタエレメントをさらに含む、
請求項１に記載の顔用美容健康装置。
【請求項１３】
前記導電性吸引ノズルは、接続ヘッドと接続カバーとを備え、
前記接続ヘッドは、第２接続管と、前記第２接続管から延びて互に連通する中空筒柱を有し、
前記顔用美容健康装置は、前記接続カバーと前記中空筒柱との間に挟持される防水ワッシャをさらに含む、
請求項１に記載の顔用美容健康装置。
【請求項１４】
前記美容スティックは、フロントカバーと、リアカバーと、下端カバーと、上端カバーとを備えるスティック本体を含み、
前記顔用美容健康装置は、前記フロントカバー及び前記リアカバーの外側を覆い、前記下端カバーと前記上端カバーとを互いに連結するシリコンシブカバーをさらに含む、
請求項１に記載の顔用美容健康装置。
【請求項１５】
前記負圧駆動制御モジュールは、コントローラと、負圧発生アセンブリと、リリーフアセンブリとを備え、
前記負圧発生アセンブリ及び前記リリーフアセンブリは、前記コントローラに電気的に接続され、
前記送気管アセンブリは、前記負圧発生アセンブリと前記リリーフアセンブリとに連通する、
請求項１に記載の顔用美容健康装置。
【請求項１６】
前記コントローラは、メイン回路基板を含み、
前記メイン回路基板には、表示パネルと、連続吸気ボタンと、間欠吸気ボタンと、負圧時間制御ボタンと、リリーフ時間制御ボタンと、２つの第２接続ポートとが設けられ、
電源ボタンは、前記コントローラに電気的に接続される、
請求項１５に記載の顔用美容健康装置。
【発明の詳細な説明】
【技術分野】
【０００１】
本発明は、美容健康装置に関し、特に顔用美容健康装置に関する。
【背景技術】
【０００２】
外部からの大気汚染と仕事のストレスで、現代人の顔の肌はくすみやたるみが目立ちやすくなり、それに不適切な手入れにより、高級で高価なスキンケア製品を使用していても、顔の肌にも十分に吸収されていない。そのため、一般の美容愛好家は、美容医療センターに行って施術を受ける必要がある。しかし、美容医療センターで使用される美容機器はサイズが大きいため、広い設置スペースが必要だけではなく、美容機器を現場操作できる操作員もいなければならないので、非常に使い勝手が悪い。また、施術を受けるために、美容医療センターに行く時間を確保するだけでなく、長時間待つ必要があるため、時間と労力がかかる。持ち歩いたり家で手入れをしたりすることは全くできない。
【０００３】
業者は、上記問題を着目した関連製品を次々に開発し、その中で最もよく見られるのは振動効果のある美容スティックである。主に、スティック本体とスティック本体の内部に取り付けられるバイブレータとを含む。バイブレータによりスティック本体を駆動して対応する振動を発生させ、そしてスティック本体を顔の肌に当てて、顔の肌のマッサージやリラックスなどの効果をもたらす。
【発明の概要】
【発明が解決しようとする課題】
【０００４】
しかしながら、既存の美容健康装置は、マッサージやリラックスの効果があるが、実際の使用過程において、顔の皮膚及びその内部組織に対して十分に運動させることができず、しかも皮膚の活性化と血液循環などの改善がなかった。また、既存の美容健康装置の多くは単一機能のみを有し、それぞれの使用ニーズに応じて個別に購入しなければならないため、使用者の購入コストを大幅に増やすことになる、そのため、既存の美容健康装置は、既存の市場での美容健康装置に対するニーズに応えることができない。
【０００５】
以上に鑑みて、本発明者らは、上記先行技術の欠点について、慎重に研究し、また、学理を活用して、上記問題点を解決することが本発明者らの改良の目標となった。
【０００６】
本発明の目的は、顔に対してリフティング、清浄及び微小電流の導出の美容健康効果を発揮することができ、操作性を向上させることが可能な顔用美容健康装置を提供することにある。
【課題を解決するための手段】
【０００７】
上記目的を達成するために、本発明に係る顔用美容健康装置は、美容スティックと、微小電流発生モジュールと、外付け負圧器と、連通管と、導電線と、を含み、前記美容スティックは、内部に送気通路を有し、両端に前記送気通路を連通する負圧接続孔と導電性吸引ノズルとがそれぞれ設けられ、前記負圧接続孔の側辺に第１接続ポートが設けられ、前記微小電流発生モジュールは、前記美容スティックの内部に配置され、前記第１接続ポートに電気的に接続され、前記外付け負圧器は、前記美容スティックと分離して配置され、ハウジングと、前記ハウジングの内部に取り付けられる負圧駆動制御モジュールと、を備え、前記負圧駆動制御モジュールは、前記ハウジングに配置された負圧連通孔を有する送気管アセンブリを備え、前記外付け負圧器に第２接続ポートが設けられ、前記連通管は、両端に前記負圧接続孔と前記負圧連通孔がそれぞれ連通し、前記導電線は、両端に前記第１接続ポートと前記第２接続ポートがそれぞれ連通し、前記導電性吸引ノズルは、前記負圧駆動制御モジュールの作動により、顔の皮膚に対して負圧吸引・解放を発生させ、前記微小電流発生モジュールの電流を導出することにより、顔の皮膚を刺激してアデノシン三リン酸を生成させる。
【発明の効果】
【０００８】
本発明によれば、超音波発生モジュールにより、圧電シートアセンブリが発生する高周波振動を導電性吸引ノズルから顔の皮膚に伝導し、高周波振動によって毛穴の洗浄及び毛穴の角栓の除去を促進し、皮膚にスキンケア製品を導入して吸収させるのに役立つという効果を有する。また、誤接触防止アセンブリにより、使用者は美容スティックの静電容量センサの押圧領域に手を当てると同時に、導電性吸引ノズルが顔の皮膚に当てる場合に限り、微小電流機能が作動する。これにより、誤接触を防止し、使用の安全性をより高めることができる。また、光波発生モジュールにより、顔の皮膚に光を照射するときに、血液循環を刺激して肌にハリやツヤを与えることができる。また、発光ダイオードに対応して配置された円錐形ランプカップにより、発光ダイオードの照射範囲をより均一にすることができる。さらに、マイナスイオン発生モジュールにより、先端のマイナスイオン放出孔を介してマイナスイオンを導出することで、顔の皮膚の血液循環を強化することができる。
【図面の簡単な説明】
【０００９】
【図１】本発明に係る顔用美容健康装置の概略図である。
【図２】本発明に係る美容スティックの分解斜視図である。
【図３】本発明に係る美容スティックの他の視点からの分解斜視図である。
【図４】本発明に係る美容スティックの外観図である。
【図５】本発明に係る美容スティックの断面図である。
【図６】本発明に係る負圧駆動制御モジュールのブロック図である。
【図７】本発明に係る外付け負圧器の斜視図である。
【発明を実施するための形態】
【００１０】
本発明の詳細な説明及び技術内容について、図面を参照しながら以下に説明するが、図面は参照及び説明のためのものであり、本発明を限定するものではない。
【００１１】
図１〜図７に示すように、本発明に係る顔用美容健康装置は、美容スティック１と、微小電流発生モジュール２０と、外付け負圧器６と、連通管７と、導電線８とを含む。ここで、美容スティック１は、外付け負圧器６と分離して配置される（即ち、それぞれ独立した装置である）。そのため、美容スティック１と外付け負圧器６との接続は、連通管７及び導電線８を介して行わなければならない。
【００１２】
図２〜図５に示すように、美容スティック１は、略湾曲形状の円柱体のスティック本体１０を含む。本実施形態のスティック本体１０は、主にフロントカバー１１と、リアカバー１２と、下端カバー１３と、上端カバー１４と、導電性吸引ノズル１５とを備える。フロントカバー１１、リアカバー１２、下端カバー１３及び上端カバー１４は、絶縁性に優れた材料（例えば、プラスチック）からなる。フロントカバー１１は、リアカバー１２に対応して組み合わせ連結され、ネジなどの螺合部材で固定されている。下端カバー１３は、フロントカバー１１及びリアカバー１２の下端位置に組み合わせ連結され、上端カバー１４は、フロントカバー１１及びリアカバー１２の上端位置に組み合わせ連結され、導電性吸引ノズル１５は、上端カバー１４の中央に内接する。
【００１３】
下端カバー１３の一側に延長管１３１が形成され、延長管１３１の中心に負圧接続孔１３２を有する。また、延長管１３１の直下方に第１接続管１３３が延びる。上記負圧接続孔１３２は、第１接続管１３３と連通する。下端カバー１３の負圧接続孔１３２の側辺に第１接続ポート１３４が設けられる。本実施形態の第１接続ポート１３４は、導電性接続孔であるが、これに限定されない。
【００１４】
上端カバー１４は、主に中心に受入孔１４２が設けられるカバー盤１４１を備える。導電性吸引ノズル１５は、主に接続ヘッド１５１と、接続カバー１５５とを備える。接続ヘッド１５１及び接続カバー１５５は、金属などの電気伝導性の良い材料からなる。接続ヘッド１５１は、第２接続管１５２と、第２接続管１５２から延びて互いに連通する中空筒柱１５３とを有する。第２接続管１５２は、上記受入孔１４２に内接し、中空筒柱１５３は、カバー盤１４１の外側に形成される。接続カバー１５５は、中空筒柱１５３を外嵌し、中心に上記中空筒柱１５３と第２接続管１５２と互いに連通する吸気口１５６が設けられる。連結管１６を介して第１接続管１３３と第２接続管１５２とを連通することで、スティック本体１０の内部に送気通路Ａを構成する。
【００１５】
また、本実施形態のスティック本体１０は、中空筒柱１５３と接続カバー１５５との間に挟持される防水ワッシャ１７をさらに含む。防水ワッシャ１７は、シリコーンなどの材料からなるものであってもよく、空気漏れ防止効果を発揮することができる。
【００１６】
また、本実施形態のスティック本体１０は、フロントカバー１１及びリアカバー１２の外側を覆い、下端カバー１３と上端カバー１４とを互いに連結するシリコンシブカバー１８をさらに含む。これにより、美容スティック１に対して効果的な防水効果を達成することができる。
【００１７】
微小電流発生モジュール２０は、美容スティック１の内部に配置され、第１接続ポート１３４に電気的に接続される。ここで、微小電流（Ｅｌｅｃｔｒｏ  Ｍｕｓｃｌｅ  Ｓｔｉｍｕｌａｔｉｏｎ：ＥＭＳ）発生モジュール２０は、電流値が一般に１〜４００マイクロアンペア（μＡ）であり、主に操作制御アセンブリ２１と、微小電流伝導アセンブリ２２とを含む。操作制御アセンブリ２１は、第１接続ポート１３４に電気的に接続され、主に回路基板２１１と、回路基板２１１に取り付けられる第１スイッチボタン２１２とを備える。第１スイッチボタン２１２の一部領域がフロントカバー１１から露出し、第１スイッチボタン２１２を操作することにより、微小電流伝導アセンブリ２２を作動又は停止させる。本実施形態の微小電流伝導アセンブリ２２は、主に導線２２１と、固定部材２２２とを備える。本実施形態の導線２２１はナットであり、上記第２接続管１５２の外周縁に螺着部１５４が設けられる。導線２２１は、一端が上記操作制御アセンブリ２１に電気的に接続され、他端が第２接続管１５２を外嵌するとともに、固定部材２２２によって螺着部１５４に対応して螺合される。これにより、導電性吸引ノズル１５を介して顔の皮膚に微小電流を伝導し、この微小電流によって真皮層を刺激して、細胞にアデノシン三リン酸（Ａｄｅｎｏｓｉｎｅ  Ｔｒｉ−ｐｈｏｓｐｈａｔｅ：ＡＴＰ）の生成を促進することができる。アデノシン三リン酸は、アデノシンと３つのリン酸基からなり、化学式がＣ１０Ｈ１６Ｎ５Ｏ１３Ｐ３、構造式がＣ１０Ｈ８Ｎ４Ｏ２ＮＨ２（ＯＨ）２（ＰＯ３Ｈ）３Ｈ、分子量が５０７．１８４である。
【００１８】
さらに、本実施形態の微小電流発生モジュール２０は、誤接触防止アセンブリ２３をさらに含む。誤接触防止アセンブリ２３は、静電容量式タッチボタンセンサであってもよく、主に静電容量スイッチ２３１と、導電性バネ２３２と、センサ領域２３３とを備える。静電容量スイッチ２３１は、上記操作制御アセンブリ２１の回路基板２１１上に配置され、導電性バネ２３２は、上記リアカバー１２の円筒柱１２１内に支持され、一端が静電容量スイッチ２３１に対応して配置される。センサ領域２３３は、リアカバー１２に形成され、導電性バネ２３２の他端に対応して配置される。このようにして、使用者はリアカバー１２のセンサ領域２３３に手で触れると同時に、導電性吸引ノズル１５が顔の皮膚に当てる場合に限り、微小電流機能が作動する。これにより、誤接触を防止し、使用の安全性を高めることができる。
【００１９】
図６及び図７に示すように、外付け負圧器６は、主にハウジング６１と、ハウジング６１の内部に取り付けられた負圧駆動制御モジュール６２とを含む。負圧駆動制御モジュール６２は、主にコントローラ６３と、負圧発生アセンブリ６４と、リリーフアセンブリ６５と、送気管アセンブリ６６とを備える。コントローラ６３は、メイン回路基板６３１を備える。メイン回路基板６３１には、表示パネル６３２と、連続吸気ボタン６３３と、間欠吸気ボタン６３４と、負圧時間（秒数）制御ボタン６３５と、リリーフ時間（秒数）制御ボタン６３６と、２つの第２接続ポート６３７とが設けられる。ここで、第２接続ポート６３７は、直流電源に接続するための接続孔であり、電源ボタン６３８は、コントローラ６３に電気的に接続される。負圧発生アセンブリ６４及びリリーフアセンブリ６５は、コントローラ６３に電気的に接続される。送気管アセンブリ６６は、負圧発生アセンブリ６４とリリーフアセンブリ６５とに連通され、ハウジング６１に固定された負圧連通孔６６１を有する。ここで、負圧発生アセンブリ６４は、主に真空ポンプ及びモータ（図示せず）を備え、負圧を発生させるために用いられ、上記美容スティック１の導電性吸引ノズル１５を介して皮膚を吸引する。一般的な使用における最大負圧は−４６．７ｋＰａ（−３５０ｍｍＨｇ）に制限されている。
【００２０】
図１を再び参照すると、連通管７の両端は負圧接続孔１３２と負圧連通孔６６１にそれぞれ連通して、負圧駆動制御モジュール６２の作動により、美容スティック１の導電性吸引ノズル１５に負圧マッサージと負圧・リリーフによる律動的な吸引・解放の交互マッサージとのいずれかを発生させることができる。導電線８は、上記美容スティック１と外付け負圧器６とに電気的に接続される。具体的には、導電線８の両端は、第１接続ポート１３４と第２接続ポート６３７にそれぞれ電気的に接続される。
【００２１】
なお、外付け負圧器６と美容スティック１との組み合わせにより、導電性吸引ノズル１５が顔の皮膚に接触するときに、真空度や吸引・解放の頻度を調整することで、リフティングや毛穴の角栓や汚れの吸引除去などの清浄効果を達成することができる。
【００２２】
本発明に係る顔用美容健康装置は、使用時に顔の皮膚に対して負圧の吸引マッサージ及び負圧・リリーフによる律動的な吸引・解放の交互マッサージを行うことができる。導電性吸引ノズル１５により皮膚に当てると、負圧発生アセンブリ６４の真空ポンプが動作することにより、吸気口１５６に負圧が発生し、皮膚が吸引されて徐々に突出するようになり、負圧が停止すると、皮膚に対する吸引が停止し、そして、リリーフアセンブリ６５が作動することにより、空気が送気管アセンブリ６６から送気通路Ａに入ると、負圧が放出されて減少し、皮膚が徐々に元の状態に戻るという動作を繰り返す。この時間内に、いつでも微小電流発生モジュール２０を作動又は停止させることができる。これにより、導電性吸引ノズル１５を通じて微小電流が導出されて、筋肉を刺激してマッサージし、筋肉の弾性を回復させるとともに、電流による真皮への刺激は、細胞により多いアデノシン三リン酸（ＡＴＰ）の生成を促進することができる。アデノシン三リン酸（ＡＴＰ）は、コラーゲンの生成に関わるキー物質である。したがって、微小電流で顔をマッサージことにより、コラーゲンの生成を加速させ、フェイスラインをスッキリさせて、顔の皮膚を引き締めたり持ち上げたりする効果を達成する。また、局所的な脂肪層を十分に運動させて、人体の基礎代謝を高め、脂肪を減らし、ぜい肉を取り除く効果もある。
【００２３】
また、本実施形態では、上記美容スティック１の内部に配置され、操作制御アセンブリ２１に電気的に接続される超音波発生モジュール３０をさらに含む。超音波発生モジュール３０は、主に固定板３１と、固定板３１に接続される圧電シートアセンブリ３２とを含む。固定板３１及び圧電シートアセンブリ３２は、第２接続管１５２に外嵌する。圧電シートアセンブリ３２が高周波振動で伝導することにより、導電性吸引ノズル１５は、顔の皮膚に対して毛穴の洗浄及びスキンケア製品の吸収を促進することができる。圧電シートアセンブリ３２の振動周波数は、一般に１〜３ＭＨｚである。操作制御アセンブリ２１は、回路基板２１１に取り付けられる第２スイッチボタン２１３をさらに備える。第２スイッチボタン２１３の一部領域がフロントカバー１１から露出し、第２スイッチボタン２１３を操作することにより、超音波発生モジュール３０を作動又は停止させる。
【００２４】
なお、スキンケア製品は、その有効成分が有機高分子で構成されているため、自然な状態で顔の皮膚の真皮層に浸透することは難しい。指で塗布する場合、栄養素が皮膚の表面にとどまり、深い層に吸収されることはできない。この超音波発生モジュール３０と導電性吸引ノズル１５との組み合わせにより、高周波振動と強い浸透力の特性によって、皮膚に高エネルギーの運動をさせ、組織の代謝を改善するだけでなく、組織を柔らかくし、引き締める作用を達成するとともに、毛孔の洗浄と毛穴の角栓の排除を促進することができる。
【００２５】
さらに、本実施形態は、発光アセンブリ４１と、ランプカバー４２とを備える光波発生モジュール４０をさらに含む。発光アセンブリ４１は、美容スティック１の内部に配置され、操作制御アセンブリ２１に電気的に接続される。ランプカバー４２は、上記カバー盤１４１の外側を覆って設けられる。上記カバー盤１４１に複数の円錐形ランプカップ１４３が設けられ、各円錐形ランプカップ１４３は、受入孔１４２の外周に間隔をあけて形成される。発光アセンブリ４１は、操作制御アセンブリ２１に電気的に接続され、主に基板４１１と、基板４１１上に設けられる複数の発光ダイオード４１２とを備える。発光アセンブリ４１は、上端カバー１４の内部に配置され、各発光ダイオード４１２は、各円錐形ランプカップ１４３の位置にそれぞれ対応して配置される。ランプカバー４２は、上端カバー１４の外側を覆う透光性材料からなる。操作制御アセンブリ２１は、回路基板２１１に取り付けられる第３スイッチボタン２１４をさらに備える。第３スイッチボタン２１４の一部領域がフロントカバー１１から露出し、第３スイッチボタン２１４を操作することにより、光波発生モジュール４０を作動又は停止させる。
【００２６】
なお、発光ダイオード（ＬＥＤ）は主に赤、黄、青の３色であってもよい。これらの特定波長の光が皮膚に吸収された後、皮膚組織に作用する異なるメカニズムを利用して、細胞によって内部エネルギーに変換され、細胞の代謝と合成を促進し、顔の皮膚の状態を改善する。ここで、赤色ＬＥＤは、細胞を活性化させ、皮膚の弾力性を高め、皮膚を修復し、皮膚の老化を緩和し、皮膚の活力を回復することができる。青色ＬＥＤは、殺菌・消炎、ニキビや角栓の抑制、肌荒れの修復、水と油のバランス調整を行うことができる。黄色ＬＥＤは、血液循環を加速し、細胞を活性化させ、シミやくすみを取り除き、肌色を明るくすることができる。
【００２７】
さらに、本実施形態では、美容スティック１の内部に配置され、操作制御アセンブリ２１に電気的に接続されるマイナスイオン発生モジュール５０をさらに含む。マイナスイオン発生モジュール５０は、主にマイナスイオン発生器５１と、マイナスイオン発生器５１に接続されるマイナスイオン導線５２とを含む。上記カバー盤１４１にはマイナスイオン導出孔１４４が開設され、ランプカバー４２にはマイナスイオン導出孔１４４に対応するマイナスイオン放出孔４２１が開設される。ここで、マイナスイオン導線５２は、マイナスイオン導出孔１４４を貫通してマイナスイオン放出孔４２１内に延びている。マイナスイオン発生器５１が発生するマイナスイオンをマイナスイオン導線５２の先端から導出することにより、皮膚の血液循環を促進することができる。マイナスイオン発生モジュール５０の開閉は、電源起動直後に開始することができる。
【００２８】
さらに、本実施形態では、上記導電性吸引ノズル１５の中空筒柱１５３に配置されるフィルタエレメント５５をさらに含む。本実施形態のフィルタエレメント５５は、フィルタスポンジであり、皮膚の角栓や汚れが負圧発生モジュール６０に直接吸い込まれて内部電気機器の消耗を招くことを回避することができる。なお、このフィルタスポンジを交換することができる。
【００２９】
要約すると、本発明に係る顔用美容健康装置は、従来技術の欠点を解決するという期待した使用目的を積極的に果たし得ることができ、新規性及び進歩性を大いに有し、発明の特許申請の要件と完全に一致しているため、本発明を出願する。本願を慎重に審査し、発明者の権利を保護するために特許を付与して頂きたい。
【符号の説明】
【００３０】
１  美容スティック
１０  スティック本体
１１  フロントカバー
１２  リアカバー
１２１  円筒柱
１３  下端カバー
１３１  延長管
１３２  負圧接続孔
１３３  第１接続管
１３４  第１接続ポート
１４  上端カバー
１４１  カバー盤
１４２  受入孔
１４３  円錐形ランプカップ
１４４  マイナスイオン導出孔
１５  導電性吸引ノズル
１５１  接続ヘッド
１５２  第２接続管
１５３  中空筒柱
１５４  螺着部
１５５  接続カバー
１５６  吸気口
１６  連結管
１７  防水ワッシャ
１８  シリコンシブカバー
Ａ  送気通路
２０  微小電流発生モジュール
２１  操作制御アセンブリ
２１１  回路基板
２１２  第１スイッチボタン
２１３  第２スイッチボタン
２１４  第３スイッチボタン
２２  微小電流伝導アセンブリ
２２１  導線
２２２  固定部材
２３  誤接触防止アセンブリ
２３１  静電容量スイッチ
２３２  導電性バネ
２３３  センサ領域
３０  超音波発生モジュール
３１  固定板
３２  圧電シートアセンブリ
４０  光波発生モジュール
４１  発光アセンブリ
４１１  基板
４１２  発光ダイオード
４２  ランプカバー
４２１  受入孔
４２２  マイナスイオン放出孔
５０  マイナスイオン発生モジュール
５１  マイナスイオン発生器
５２  マイナスイオン導線
５５  フィルタエレメント
６  外付け負圧器
６１  ハウジング
６２  負圧駆動制御モジュール
６３  コントローラ
６３１  メイン回路基板
６３２  表示パネル
６３３  持続吸気ボタン
６３４  間欠吸気ボタン
６３５  負圧時間（秒数）制御ボタン
６３６  リリーフ時間（秒数）制御ボタン
６３７  第２接続ポート
６３８  電源ボタン
６４  負圧発生アセンブリ
６５  リリーフアセンブリ
６６  送気管アセンブリ
６６１  負圧連通孔
７  連通管
８  導電線
【要約】
【課題】本発明は、顔に対してリフティング、清浄及び微小電流の導出の美容健康効果を発揮する可能な顔用美容健康装置を提供する。
【解決手段】本発明に係る顔用美容健康装置は、美容スティックと、微小電流発生モジュールと、外付け負圧器と、連通管と、導電線とを含み、美容スティックは、送気通路と、負圧接続孔と、導電性吸引ノズルと、第１接続ポートとを含み、微小電流発生モジュールは、美容スティック内に配置され、第１接続ポートに電気的に接続され、外付け負圧器は、美容スティックと分離して配置され、ハウジングと、負圧駆動制御モジュールと、第２接続ポートとを備え、負圧駆動制御モジュールは、負圧連通孔を有する送気管アセンブリを備え、連通管は、両端に負圧接続孔と負圧連通孔がそれぞれ連通し、導電線は、両端に第１接続ポートと第２接続ポートがそれぞれ連通する。
【選択図】図１【図１】
0006922143.tif 000002
【図２】
0006922143.tif 000003
【図３】
0006922143.tif 000004
【図４】
0006922143.tif 000005
【図５】
0006922143.tif 000006
【図６】
0006922143.tif 000007
【図７】
0006922143.tif 000008